(57)【要約】      （修正有）【課題】インターネット上で会員企業にプロモーションの場を提供して高い会員登録率で会員企業の新規顧客獲得を支援する顧客獲得支援システムを提供する。【解決手段】インターネット１００上で複数の会員企業のプロモーションのウェブサイトを提供し、ユーザー端末２０から特定の会員企業のウェブページをユーザー端末２０に表示可能に提供するウェブサーバー１２と、ユーザーからプロモーションへの応募があったとき、ユーザーのメールアドレス宛に応募確認用の電子メールを送信するメールサーバー１４とを備え、ウェブページがソーシャルメディア３０のユーザーアカウントを使用してソーシャルログイン可能なものであり、ウェブサーバー１２がソーシャルログイン利用時にソーシャルメディア３０から当該ユーザーの個人情報を取得し、メールサーバー１４およびウェブサーバー１２がソーシャルメディア３０から取得したメールアドレス宛に電子メールを送信する。【選択図】図１
0003209161.tif 000002
【実用新案登録請求の範囲】
【請求項１】
インターネット上で複数の会員企業の商品やサービスに関するプロモーション情報を掲載するウェブサイトを提供し、ユーザー端末から特定の会員企業のプロモーション情報を掲載したウェブページのリクエストを受けて、当該ウェブページを前記ユーザー端末に表示可能に提供するウェブサーバーと、
前記ユーザー端末に表示された前記ウェブページを通じてユーザーから前記特定の会員企業が展開するプロモーションへの応募があったとき、当該ユーザーのメールアドレス宛に応募確認用の電子メールを送信するメールサーバーとを備え、
前記ウェブページが、ソーシャルメディアのユーザーアカウントを使用して前記ウェブサーバーへのログインを可能にするソーシャルログインが利用できるものであり、
前記ウェブサーバーが、ユーザーが前記プロモーションに応募する際にソーシャルログインを利用する場合、前記プロモーションへの応募に必要な個人情報の一部として前記ソーシャルメディアから当該ユーザーのメールアドレスを含む個人情報を取得するものであり、
前記メールサーバーが、前記ウェブサーバーが前記ソーシャルメディアから取得したメールアドレス宛に前記電子メールを送信するものである
ことを特徴とする顧客獲得支援システム。
【請求項２】
前記ウェブサーバーが、前記プロモーションを展開する会員企業の会員登録フォームのウェブページを生成して前記ユーザー端末に表示可能に提供し、前記ソーシャルメディアから取得した個人情報を当該会員登録フォーム内の該当欄に自動入力するものである、請求項１に記載の顧客獲得支援システム。
【請求項３】
前記ウェブサーバーが、前記プロモーションに応募したユーザーが自サーバーが提供する前記ウェブサイトの登録ユーザーである場合、当該ウェブサイトで管理する当該ユーザーの個人情報を当該会員登録フォーム内の該当欄に自動入力するものである、請求項２に記載の顧客獲得支援システム。
【請求項４】
前記ウェブサーバーが、ユーザーが前記会員登録フォームに入力した情報も含めて前記会員登録フォームに入力された情報を前記会員企業サーバーに送信するものである、請求項２または３に記載の顧客獲得支援システム。
【請求項５】
前記ウェブサーバーが、前記電子メールの本文中に、前記プロモーションを展開する会員企業のウェブサイト中の会員登録フォームのウェブページを特定するＵＲＬ（Uniform Resource Locator）を埋め込むものである、請求項１に記載の顧客獲得支援システム。
【請求項６】
前記ソーシャルログインが複数のソーシャルメディアに対応している、請求項１ないし５のいずれかに記載の顧客獲得支援システム。
【考案の詳細な説明】
【技術分野】
【０００１】
本考案は、顧客獲得支援システムに関し、特に、インターネット上で会員企業にプロモーションの場を提供して会員企業の新規顧客獲得を支援するシステムに関する。
【背景技術】
【０００２】
近時、インターネットが社会に広く浸透し、さらに情報通信機器の高性能化、小型化が進展したことで、人々はいつでもどこでもユーザー端末からインターネットにアクセスして自由に情報を得られるようになった。このような高度情報化社会において各企業にとってインターネット上で広告活動やプロモーション活動を展開して集客することは費用対効果の面で非常に効果的である。
【０００３】
インターネットを利用した広告手法の一つにリスティング広告がある（例えば、特許文献１を参照）。リスティング広告は、インターネット上の検索エンジンを利用して情報検索を行うユーザーの嗜好に合わせた広告ができる点で見込み客の獲得が期待できる。
【先行技術文献】
【特許文献】
【０００４】
【特許文献１】特開２０１６−１４６１５５号公報
【考案の概要】
【考案が解決しようとする課題】
【０００５】
しかしながら、リスティング広告により見込み客を自社のウェブページへ誘導できたとしても、見込み客が会員登録フォームへの情報入力が面倒だと感じると、当該見込み客は商品やサービスを申し込むことなくウェブページから離れてしまうこととなる。すなわち、リスティング広告を出稿しても会員登録フォーム入力に係るユーザビリティーが低いと会員登録率が低くなり費用対効果は低下する。
【０００６】
上記問題に鑑み、本考案は、インターネット上で会員企業にプロモーションの場を提供して高い会員登録率で会員企業の新規顧客獲得を支援するシステムを提供することを目的とする。
【課題を解決するための手段】
【０００７】
本考案の一局面に従った顧客獲得支援システムは、インターネット上で複数の会員企業の商品やサービスに関するプロモーション情報を掲載するウェブサイトを提供し、ユーザー端末から特定の会員企業のプロモーション情報を掲載したウェブページのリクエストを受けて、当該ウェブページを前記ユーザー端末に表示可能に提供するウェブサーバーと、前記ユーザー端末に表示された前記ウェブページを通じてユーザーから前記特定の会員企業が展開するプロモーションへの応募があったとき、当該ユーザーのメールアドレス宛に応募確認用の電子メールを送信するメールサーバーとを備え、前記ウェブページが、ソーシャルメディアのユーザーアカウントを使用して前記ウェブサーバーへのログインを可能にするソーシャルログインが利用できるものであり、前記ウェブサーバーが、ユーザーが前記プロモーションに応募する際にソーシャルログインを利用する場合、前記プロモーションへの応募に必要な個人情報の一部として前記ソーシャルメディアから当該ユーザーのメールアドレスを含む個人情報を取得するものであり、前記メールサーバーが、前記ウェブサーバーが前記ソーシャルメディアから取得したメールアドレス宛に前記電子メールを送信するものである。
【０００８】
これによれば、プロモーションに応募したユーザーのメールアドレスがソーシャルメディアから取得され、当該メールアドレスに応募確認用の電子メールが送信されるため、ユーザーはメールアドレスなどの個人情報を入力することなくプロモーションへの応募が完了する。
【０００９】
なお、本明細書でいう「商品やサービス」は、有料の商品やサービスに限られず、懸賞、無料商品モニター、無料サンプルなども広く含み得る。
【００１０】
前記ウェブサーバーが、前記プロモーションを展開する会員企業の会員登録フォームのウェブページを生成して前記ユーザー端末に表示可能に提供し、前記ソーシャルメディアから取得した個人情報を当該会員登録フォーム内の該当欄に自動入力するものであってもよい。
【００１１】
これによれば、ソーシャルメディアから取得したユーザーの個人情報が会員登録フォームの該当欄に自動入力されることで、ユーザーの情報入力が省力化される。これにより、会員登録率の向上が期待できる。
【００１２】
前記ウェブサーバーが、前記プロモーションに応募したユーザーが自サーバーが提供する前記ウェブサイトの登録ユーザーである場合、当該ウェブサイトで管理する当該ユーザーの個人情報を当該会員登録フォーム内の該当欄に自動入力するものであってもよい。
【００１３】
これによれば、登録ユーザーの登録情報が会員登録フォームの該当欄に自動入力されることで、ユーザーの情報入力が省力化される。これにより、会員登録率の向上が期待できる。
【００１４】
前記ウェブサーバーが、ユーザーが前記会員登録フォームに入力した情報も含めて前記会員登録フォームに入力された情報を前記会員企業サーバーに送信するものであってもよい。
【００１５】
これによれば、会員企業は、当該顧客獲得支援システムを利用して新規顧客の個人情報を取得することができる。
【００１６】
前記ウェブサーバーが、前記電子メールの本文中に、前記プロモーションを展開する会員企業のウェブサイト中の会員登録フォームのウェブページを特定するＵＲＬ（Uniform Resource Locator）を埋め込むものであってもよい。
【００１７】
これによれば、会員企業へのユーザー登録が必要な場合に、見込み客を容易に会員企業の会員登録フォームへと誘導することができる。
【００１８】
前記ソーシャルログインが複数のソーシャルメディアに対応していてもよい。
【００１９】
これによれば、ソーシャルログインの選択肢を広げることができる。
【考案の効果】
【００２０】
本考案によると、プロモーションへの応募において見込み客への情報入力負担が軽減されることで見込み客を逃さずに会員登録率を高めることができる。これにより、インターネット上で会員企業にプロモーションの場を提供して高い会員登録率で会員企業の新規顧客獲得を支援することができる。
【図面の簡単な説明】
【００２１】
【図１】本考案の一実施形態に係る顧客獲得支援システムを含むシステム全体の概要を示す図
【図２】顧客獲得支援システムにおけるプロモーションページへの見込み客の誘導を説明する図
【図３】一例に係るソーシャルログインを利用したプロモーション応募の流れを説明する図
【図４】図３のケースにおける顧客獲得支援システム、ユーザー端末、ソーシャルメディア、会員企業サーバーにおける処理および情報のやり取りを説明する図
【図５】別例に係るソーシャルログインを利用したプロモーション応募の流れを説明する図
【図６】図５のケースにおける顧客獲得支援システム、ユーザー端末、ソーシャルメディア、会員企業サーバーにおける処理および情報のやり取りを説明する図
【考案を実施するための形態】
【００２２】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２３】
なお、考案者は、当業者が本考案を十分に理解するために添付図面および以下の説明を提供するのであって、これらによって特許請求の範囲に記載の主題を限定することを意図するものではない。
【００２４】
図１は、本考案の一実施形態に係る顧客獲得支援システムを含むシステム全体の概要を示す図である。顧客獲得支援システム１０は、インターネット上で会員企業にプロモーションの場を提供して会員企業の新規顧客獲得を支援するシステムである。顧客獲得支援システム１０はインターネット１００に接続されており、インターネット１００を通じてユーザー端末２０、ソーシャルメディア３０、および会員企業サーバー４０と各種情報のやり取りをすることができる。
【００２５】
ユーザー端末２０は、液晶ディスプレイや有機ＥＬディスプレイなどの表示デバイスと、入力インターフェイスと、通信機能とを備えたコンピューター装置である。具体的には、ユーザー端末２０は、スマートフォン、タブレット端末、デスクトップパソコン、ノートパソコンなどである。ユーザー端末２０は、インターネット１００を通じて顧客獲得支援システム１０、ソーシャルメディア３０、および会員企業サーバー４０に接続して、これらシステムあるいはサーバーから提供される情報を表示デバイスに表示し、また、入力インターフェイスを用いて入力した情報をこれらシステムあるいはサーバーへ送信することができる。スマートフォンやタブレット端末の場合にはタッチパネル式の画面がそのまま入力インターフェイスとなる。パソコンの場合にはキーボードやマウスやトラックパッドなどを用いて入力を行う。
【００２６】
ユーザー端末２０にはインターネット上のウェブコンテンツを閲覧するためのウェブブラウザーがインストールされている。ウェブブラウザーの具体例としてＩｎｔｅｒｎｅｔ  Ｅｘｐｌｏｒｅｒ（登録商標）、Ｃｈｒｏｍｅ（登録商標）、Ｆｉｒｅｆｏｘ（登録商標）、Ｓａｆａｒｉ（登録商標）、Ｏｐｅｒａ（登録商標）などが挙げられる。
【００２７】
ソーシャルメディア３０は、インターネット上で登録ユーザー間の情報共有や交流促進の場を提供するシステムである。ソーシャル・ネットワーキング・サービス（ＳＮＳ）がその代表例である。ソーシャルメディア３０が提供するサービスは、ユーザー端末２０における専用アプリを起動することで、あるいはウェブブラウザーを使用してソーシャルメディア３０のウェブサイトにアクセスすることで利用することができる。ユーザーは、自身のユーザーアカウントを用いてソーシャルメディア３０にログインして自ら情報を発信（投稿）したり、他人が発信した情報を取得したり、他人が発信した情報に応答したりすることができる。特にＳＮＳでは投稿を時系列に並べて表示するタイムラインと呼ばれる機能を利用することができる。企業はタイムラインに自社の製品やサービスの広告を掲載することができる。ＳＮＳの具体例としてＦａｃｅｂｏｏｋ（登録商標）、Ｔｗｉｔｔｅｒ（登録商標）、ＬＩＮＥ（登録商標）、Ｇｏｏｇｌｅ＋（登録商標）、ＬｉｎｋｅｄＩｎ（登録商標）、ｍｉｘｉ（登録商標）、Ｙａｈｏｏ！（登録商標）などが挙げられる。
【００２８】
会員企業サーバー４０は、顧客獲得支援システム１０の運営会社との間でシステム利用契約を締結した企業（会員企業）が管理するサーバーであり、当該企業のウェブサイトを提供し、また、当該ウェブサイトの登録ユーザーの個人情報を保存・管理する。会員企業は、顧客獲得支援システム１０を利用してプロモーション活動を展開して見込み客を集客することができる。当該プロモーション活動を通じて獲得した新規ユーザーの個人情報は会員企業サーバー４０に蓄積される。
【００２９】
次に、顧客獲得支援システム１０の構成について詳細に説明する。顧客獲得支援システム１０は、ウェブサーバー１２、メールサーバー１４、データベースサーバー１６などを備えている。これらサーバーは複数の異なるコンピューター装置で構成されていてもよいし、１台のコンピューター装置で構成されていてもよい。また、これらサーバーは物理マシンおよび仮想マシンのいずれで実現してもよい。さらに、これらサーバーは、いわゆるオンプレミスの形態で顧客獲得支援システム１０の運営会社内で維持・管理されてもよいし、ホスティングまたはハウジングなどの形態でアウトソースされてインターネット１００を通じて互いに接続されるいわゆるクラウドサーバーであってもよい。
【００３０】
ウェブサーバー１２は、インターネット上でユーザー端末２０にウェブコンテンツを提供するサーバーである。特に、ウェブサーバー１２は、インターネット上で複数の会員企業の商品やサービスに関するプロモーション情報を掲載するウェブサイトを提供する。各企業は顧客獲得支援システム１０の運営会社とシステム利用契約を締結して当該運営会社の会員となることで、自社の製品やサービスに関するプロモーション情報をウェブサーバー１２が提供するウェブサイトに載せてプロモーション活動を展開することができる。
【００３１】
ウェブサーバー１２は、ユーザー端末２０から特定の会員企業のプロモーション情報を掲載したウェブページ（プロモーションページ）のリクエストを受けると、当該プロモーションページをユーザー端末２０に表示可能に提供する。ユーザーはインターネット１００に接続されたユーザー端末２０において所望のプロモーションページ（例えば、図２に示したプロモーションページ１２１）を閲覧することができる。プロモーションページはＨＴＭＬ（HyperText Markup Language）で記述することができ、ウェブサーバー１２はＨＴＴＰ（Hypertext Transfer Protocol）またはＨＴＴＰＳ（HypertextTransfer Protocol Secure）に従ってユーザー端末２０と通信することができる。
【００３２】
メールサーバー１４は、任意のメールアドレス宛に電子メールを送信するサーバーである。特に、メールサーバー１４は、ユーザー端末２０に表示されたプロモーションページを通じてユーザーからプロモーションへの応募があったとき、当該ユーザーのメールアドレス宛に応募確認用の電子メールを送信する。ユーザーは、当該電子メールを受信することで応募が受け付けられたことを確認することができる。
【００３３】
データベースサーバー１６は、ウェブサーバー１２が提供するウェブサイトの登録ユーザーの個人情報を保存・管理するサーバーである。
【００３４】
次に、顧客獲得支援システム１０におけるプロモーションページへの見込み客の誘導について説明する。図２は、顧客獲得支援システム１０におけるプロモーションページへの見込み客の誘導を説明する図である。プロモーションページ１２１への誘導ルートとして次の３通りある。
【００３５】
第１のルートは、ウェブサーバー１２が提供するウェブサイトのトップページ１２２からの誘導である。例えば、トップページ１２２には各会員企業のバナー広告１２３が並んでいる。バナー広告１２３のサイズはどの会員企業でも同じにしてもよいし、特別な契約を結んだ会員企業のバナー広告１２３は他のバナー広告１２３よりも大きくしてもよい。
【００３６】
トップページ１２２における各バナー広告１２３は、特定のプロモーションページ１２１にリンクが張られている。ユーザー（見込み客）はトップページ１２２に掲載されたバナー広告１２３のうち気になるものをクリック（パソコンでウェブサイトを閲覧している場合）またはタッチ（スマートフォンやタブレット端末でウェブサイトを閲覧している場合には）することで、そのリンク先のプロモーションページ１２１へジャンプしてプロモーションの詳細を閲覧することができる。
【００３７】
なお、トップページ１２２に多数のバナー広告１２３が掲載されるとその中からユーザーが所望のものを見つけるのが大変になるため、バナー広告１２３を「美容・コスメ」、「趣味・ペット」、「グルメ」などのカテゴリーに分類して、カテゴリー別にバナー広告１２３を絞り込めるようにしてもよい。
【００３８】
第２のルートは、ＳＮＳアプリからの誘導である。各企業は、タイムライン２０１に表示される各ユーザーの投稿の間に挿入する形で自社の製品やサービスの広告、いわゆるインフィード広告２０２を掲載することができる。ただし、タイムライン２０１への広告掲載は有料である。
【００３９】
タイムライン２０１に掲載される各広告２０２は、顧客獲得支援システム１０が提供するウェブサイトの特定のプロモーションページ１２１にリンクが張られている。スマートフォンやタブレット端末などのユーザー端末２０でＳＮＳアプリのタイムライン２０１を閲覧しているユーザー（見込み客）が気になる広告２０２をタッチすることで、ユーザー端末２０においてウェブブラウザーが起動されて顧客獲得支援システム１０が提供するウェブサイトに繋がり、そのリンク先のプロモーションページ１２１へジャンプしてプロモーションの詳細を閲覧することができる。
【００４０】
ユーザーはタイムライン２０１で気になった広告２０２をグループ投稿することができる。グループ投稿された広告２０２はグループメンバーでシェアされる。そして、グループメンバーがシェアされた広告２０２をタッチすることで、ユーザー端末２０においてウェブブラウザーが起動されて顧客獲得支援システム１０が提供するウェブサイトに繋がり、そのリンク先のプロモーションページ１２１へジャンプしてプロモーションの詳細を閲覧することができる。
【００４１】
企業はグループ投稿による広告出稿ができないが、ユーザーに広告を次々とグループ投稿してもらうことで不特定多数に広告を見てもらうことができ、間接的にグループ投稿による広告出稿を行うことができる。また、広告のグループ投稿はユーザーがあくまでグループメンバーでの情報共有のために行うものであるから、広告主の企業に広告出稿に係る費用が発生することはない。
【００４２】
第３のルートは、プロモーションアンケート３０１からの誘導である。例えば、データ・マネジメント・プラットフォーム（ＤＭＰ）を利用してプロモーションを行う場合において、ＤＭＰに蓄積されたデータをセグメントしたターゲットユーザーにアンケート３０１が配信されることがある。そして、当該アンケート３０１に回答したユーザー（見込み客）をプロモーションページ１２１へ誘導するというものである。
【００４３】
上述した３つのルートによりユーザー（見込み客）をプロモーションページ１２１へと誘導できるわけであるが、当該ユーザーがプロモーションページ１２１を見てプロモーションに応募するには、そのユーザーの個人情報が必要になる。特に、応募確認用の電子メールを送信する都合上、そのユーザーのメールアドレスは必須の情報である。ここで、ユーザーにメールアドレスなどの個人情報を入力してもらうようにしてもよいが、ユーザーが個人情報の入力を面倒と感じて申し込みをやめると見込み客をみすみす逃してしまうこととなる。そこで、プロモーションページ１２１においてソーシャルログインを利用可能にしてユーザーによる個人情報の入力を省力化できるようにしている。ソーシャルログインとは、ソーシャルメディア３０のユーザーアカウントを使用してウェブサーバー１２へのログインを可能にする機能のことをいう。
【００４４】
例えば、図２に示すように、プロモーションページ１２１の最後の箇所に「○○でログインして応募」（○○は各ソーシャルメディアの名称）などと記されたボタン１２４が複数配置されている。ユーザーが自身が利用するソーシャルメディア３０に対応するボタン１２４をクリックまたはタッチすると、ウェブアプリケーションが動作してウェブサーバー１２はソーシャルメディア３０からユーザーのメールアドレスを取得し、メールサーバー１４が当該メールアドレス宛に応募確認用の電子メールを送信する。このように、ソーシャルログインを利用することで、ユーザーは個人情報を入力することなくワンクリックでプロモーションへの応募を完了することができる。
【００４５】
なお、ウェブサーバー１２が提供するウェブサイトの登録ユーザーはソーシャルログインを利用することなくプロモーションに応募することができる。当該登録ユーザーの個人情報はデータベースサーバー１６において保存・管理されているため、ウェブサーバー１２はデータベースサーバー１６から当該登録ユーザーのメールアドレスを取得し、メールサーバー１４が当該メールアドレス宛に応募確認用の電子メールを送信することができる。
【００４６】
また、ウェブサーバー１２が提供するウェブサイトの登録ユーザーでなく、かつ、ソーシャルメディア３０のユーザーアカウントも持っていないユーザーは、メールアドレスを入力することでプロモーションに応募することができる。
【００４７】
次に、ソーシャルログインを利用したプロモーション応募方法の一例について説明する。図３は、一例に係るソーシャルログインを利用したプロモーション応募の流れを説明する図である。なお、図３において手順を丸囲み数字で表している。
【００４８】
手順１：プロモーションページ１２１においてソーシャルログインのボタン１２４をクリックまたはタッチすると、ユーザー端末２０においてウェブアプリケーションが動作してソーシャルメディア３０から個人情報の取得の許可を求める画面１２５が表示される。
【００４９】
手順２：ユーザーが、ウェブアプリケーションがソーシャルメディア３０から個人情報を取得することを許可すべくＯＫボタン１２６をクリックまたはタッチする。
【００５０】
手順３：ウェブサーバー１２が、当該ユーザーのユーザーアカウントを使用してソーシャルメディア３０から当該ユーザーの個人情報を取得する。当該個人情報には当該ユーザーのメールアドレスが含まれる。
【００５１】
手順４：メールサーバー１４が、ソーシャルメディア３０から取得したメールアドレス宛に応募確認用の電子メール２０３を送信する。例えばプロモーションがクーポン発行、キャンペーン割引、お試し企画の案内などの場合には電子メール２０３がそのままクーポンなどとして利用できるため、電子メール２０３の送信をもってプロモーションへの応募が完了する。一方、プロモーションが無料サンプルの配布や電子商取引（ＥＣ）など場合には会員企業のウェブサイトにおいてユーザー登録してもらう必要があるため、ウェブサーバー１２は、電子メール２０３の本文中に会員登録フォームのウェブページを特定するＵＲＬ（Uniform Resource Locator）２０４を埋め込む。
【００５２】
手順５：ユーザーが、電子メール２０３を開いて電子メール２０３の本文中のＵＲＬ２０４をクリックまたはタッチする。
【００５３】
手順６：会員企業サーバー４０が会員登録フォーム４０１のウェブページを生成し、ユーザー端末２０に会員登録フォーム４０１が表示される。会員登録フォーム４０１にはユーザーの名前、生年月日、電話番号などを入力する欄がある。
【００５４】
手順７：ユーザーが、会員登録フォーム４０１中の各欄に情報を入力し、申し込みボタン４０２をクリックまたはタッチする。
【００５５】
手順８：ユーザーが会員登録フォーム４０１に入力した個人情報が会員企業サーバー４０に登録され、申し込んだ商品などがユーザーへ発送される。
【００５６】
次に、図３のケースにおける顧客獲得支援システム１０、ユーザー端末２０、ソーシャルメディア３０、会員企業サーバー４０における処理および情報のやり取りについて説明する。図４は、図３のケースにおける顧客獲得支援システム１０、ユーザー端末２０、ソーシャルメディア３０、会員企業サーバー４０における処理および情報のやり取りを説明する図である。
【００５７】
上述した３つのルートでユーザー端末２０が顧客獲得支援システム１０にウェブページ（プロモーションページ）を要求すると（Ｓ２１）、ウェブサーバー１２は当該要求に応えてウェブページ（例えば、図２に示したプロモーションページ１２１）を生成してユーザー端末２０へページデータを送信し（Ｓ１１）、ユーザー端末２０において要求したウェブページが表示される（Ｓ２２）。
【００５８】
当該ウェブページを閲覧するユーザーがプロモーションに応募するために当該ウェブページ中のソーシャルログインのボタン（例えば、図２に示したボタン１２４）をクリックまたはタッチすると（Ｓ２３）、ウェブサーバー１２はソーシャルメディア３０から個人情報の取得の許可を求める画面（例えば、図３に示した画面１２５）を生成し（Ｓ１２）、ユーザー端末２０に当該画面が表示される（Ｓ２４）。
【００５９】
ユーザーがソーシャルメディア３０から個人情報の取得の許可するＯＫボタン（例えば、図３に示したボタン１２６）をクリックすると（Ｓ２５）、ウェブサーバー１２は、ソーシャルメディア３０に対してアクセストークンを要求する（Ｓ１３）。ソーシャルメディア３０は、当該要求に応えてアクセストークンを発行する（Ｓ３１）。
【００６０】
アクセストークンを取得したウェブサーバー１２は、ソーシャルメディア３０に対してユーザーのメールアドレスを含む個人情報を要求する（Ｓ１４）。ソーシャルメディア３０は、当該要求に応えてウェブサーバー１２へ個人情報を送信する（Ｓ３２）。
【００６１】
ウェブサーバー１２は、ソーシャルメディア３０からユーザーの個人情報を取得すると応募確認用の電子メール（例えば、図３に示した電子メール２０３）の本文を生成し、メールサーバー１４が当該ユーザーのメールアドレス宛に電子メールを送信する（Ｓ１５）。
【００６２】
ユーザー端末２０は、メールサーバー１４から送信された電子メールを受信する（Ｓ２６）。ユーザーは電子メールを開き、その中に会員登録フォームのウェブページを特定するＵＲＬが埋め込まれていれば当該ＵＲＬをクリックまたはタッチすると（Ｓ２７）、会員企業サーバー４０が会員登録フォーム（例えば、図３に示した会員登録フォーム４０１）のウェブページを生成し、ユーザー端末２０に当該ウェブページが表示される（Ｓ２８）。そして、ユーザーが会員登録フォームに情報を入力して申し込みボタン（例えば、図３に示した申し込みボタン４０２）をクリックまたはタッチすると（Ｓ２９）、会員登録フォームに入力された個人情報が会員企業サーバー４０に保存される。
【００６３】
以上のようにして、会員企業はプロモーションに応募したユーザーの個人情報を取得して新規顧客を獲得することができる。
【００６４】
次に、ソーシャルログインを利用したプロモーション応募方法の別例について説明する。図５は、別例に係るソーシャルログインを利用したプロモーション応募の流れを説明する図である。なお、図５において手順を丸囲み数字で表している。
【００６５】
手順１：プロモーションページ１２１においてソーシャルログインのボタン１２４をクリックまたはタッチすると、ユーザー端末２０においてウェブアプリケーションが動作してソーシャルメディア３０から個人情報の取得の許可を求める画面１２５が表示される。
【００６６】
手順２：ユーザーが、ウェブアプリケーションがソーシャルメディア３０から個人情報を取得することを許可すべくＯＫボタン１２６をクリックまたはタッチする。
【００６７】
手順３：ウェブサーバー１２が、当該ユーザーのユーザーアカウントを使用してソーシャルメディア３０から当該ユーザーの個人情報を取得する。当該個人情報には当該ユーザーのメールアドレスが含まれる。
【００６８】
手順４：ユーザーがウェブサーバー１２が提供するウェブサイトの登録ユーザーである場合、ウェブサーバー１２がデータベースサーバー１６から当該ユーザーの個人情報を取得する。
【００６９】
手順５：ウェブサーバー１２が、会員企業サーバー４０に代わって、会員企業サーバー４０が提供するウェブサイトにユーザー登録するための会員登録フォーム１２７のウェブページを生成し、ユーザー端末２０に会員登録フォーム１２７が表示される。会員登録フォーム４０１にはユーザーの名前、生年月日、電話番号などを入力する欄がある。ウェブサーバー１２が、ソーシャルメディア３０および／またはデータベースサーバー１６から取得した個人情報を、会員登録フォーム１２７の該当欄に自動入力する。
【００７０】
手順６：ユーザーが、必要に応じて会員登録フォーム１２７中の各欄に自動入力された情報を修正または追加し、申し込みボタン１２８をクリックまたはタッチする。
【００７１】
手順７：メールサーバー１４が、ソーシャルメディア３０から取得したメールアドレス宛に応募確認用の電子メール２０３を送信する。
【００７２】
手順８：ウェブサーバー１２が、会員登録フォーム１２７に入力された個人情報を会員企業サーバー４０へ送信する。会員企業サーバー４０は、ウェブサーバー１２から新規登録ユーザーの個人情報を受信して蓄積する。そして、申し込んだ商品などがユーザーへ発送される。
【００７３】
次に、図５のケースにおける顧客獲得支援システム１０、ユーザー端末２０、ソーシャルメディア３０、会員企業サーバー４０における処理および情報のやり取りについて説明する。図６は、図５のケースにおける顧客獲得支援システム１０、ユーザー端末２０、ソーシャルメディア３０、会員企業サーバー４０における処理および情報のやり取りを説明する図である。なお、ユーザーがソーシャルログインを利用してソーシャルメディア３０からユーザーの個人情報を取得するところ（ソーシャルメディア３０におけるステップＳ３２の処理）までは上述したとおりであるため説明を省略する。
【００７４】
ウェブサーバー１２は、ソーシャルメディア３０からユーザーの個人情報を取得すると、会員企業用の会員登録フォーム（例えば、図５に示した会員登録フォーム１２７）を生成し（Ｓ１６）、ユーザー端末２０に当該ウェブページが表示される（Ｓ２８）。このとき、ウェブサーバー１２は、ソーシャルメディア３０およびデータベースサーバー１６から取得した個人情報を、会員登録フォームの該当欄に自動入力する。これにより、ユーザーによる情報入力を省力化することができる。
【００７５】
ユーザーが、必要に応じて会員登録フォーム中の各欄に自動入力された情報を修正または追加し、申し込みボタン（例えば、図５に示した申し込みボタン１２８）をクリックまたはタッチすると（Ｓ２９）、ウェブサーバー１２は、会員登録フォームに入力された個人情報をデータベースサーバー１６に保存する（Ｓ１７）。ウェブサーバー１２は、応募確認用の電子メール（例えば、図５に示した電子メール２０３）の本文を生成し、メールサーバー１４が当該ユーザーのメールアドレス宛に電子メールを送信し（Ｓ１５）、ユーザー端末２０が当該電子メールを受信する（Ｓ２６）。
【００７６】
さらに、ウェブサーバー１２は、会員登録フォームに入力された個人情報を会員企業サーバー４０へ送信する（Ｓ１８）。会員企業サーバー４０は、当該個人情報を受信して保存する。
【００７７】
以上のようにして、会員企業はプロモーションに応募したユーザーの個人情報を取得して新規顧客を獲得することができる。特に、この例では、会員登録フォームへの情報入力が省力化されてユーザビリティーを高めることでできるため、これまで情報入力が面倒で会員登録しなかった見込み客を獲得することができる。
【００７８】
以上のように、本考案における技術の例示として、実施の形態を説明した。そのために、添付図面および詳細な説明を提供した。
【００７９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８０】
また、上述の実施の形態は、本考案における技術を例示するためのものであるから、特許請求の範囲またはその均等の範囲において種々の変更、置き換え、付加、省略などを行うことができる。
【符号の説明】
【００８１】
１０    顧客獲得システム
１２    ウェブサーバー
１４    メールサーバー
２０    ユーザー端末
３０    ソーシャルメディア
４０    会員企業サーバー
１００  インターネット
１２１  ウェブページ（プロモーション情報を掲載したウェブページ）
２０３  電子メール
２０４  ＵＲＬ
１２７  会員登録フォーム
４０１  会員登録フォーム
【図１】
0003209161.tif 000003
【図２】
0003209161.tif 000004
【図３】
0003209161.tif 000005
【図４】
0003209161.tif 000006
【図５】
0003209161.tif 000007
【図６】
0003209161.tif 000008
【手続補正書】
【提出日】平成28年12月26日(2016.12.26)
【手続補正１】
【補正対象書類名】実用新案登録請求の範囲
【補正対象項目名】全文
【補正方法】変更
【補正の内容】
【実用新案登録請求の範囲】
【請求項１】
インターネット上で複数の会員企業の商品やサービスに関するプロモーション情報を掲載するウェブサイトを提供し、ユーザー端末から特定の会員企業のプロモーション情報を掲載したウェブページのリクエストを受けて、当該ウェブページを前記ユーザー端末に表示可能に提供するウェブサーバーと、
前記ユーザー端末に表示された前記ウェブページを通じてユーザーから前記特定の会員企業が展開するプロモーションへの応募があったとき、当該ユーザーのメールアドレス宛に応募確認用の電子メールを送信するメールサーバーとを備え、
前記ウェブページが、ソーシャルメディアのユーザーアカウントを使用して前記ウェブサーバーへのログインを可能にするソーシャルログインが利用できるものであり、
前記ウェブサーバーが、ユーザーが前記プロモーションに応募する際にソーシャルログインを利用する場合、前記プロモーションへの応募に必要な個人情報の一部として前記ソーシャルメディアから当該ユーザーのメールアドレスを含む個人情報を取得するものであり、
前記メールサーバーが、前記ウェブサーバーが前記ソーシャルメディアから取得したメールアドレス宛に前記電子メールを送信するものである
ことを特徴とする顧客獲得支援システム。
【請求項２】
前記ウェブサーバーが、前記プロモーションを展開する会員企業の会員登録フォームのウェブページを生成して前記ユーザー端末に表示可能に提供し、前記ソーシャルメディアから取得した個人情報を当該会員登録フォーム内の該当欄に自動入力するものである、請求項１に記載の顧客獲得支援システム。
【請求項３】
前記ウェブサーバーが、前記プロモーションに応募したユーザーが自サーバーが提供する前記ウェブサイトの登録ユーザーである場合、当該ウェブサイトで管理する当該ユーザーの個人情報を当該会員登録フォーム内の該当欄に自動入力するものである、請求項２に記載の顧客獲得支援システム。
【請求項４】
前記ウェブサーバーが、ユーザーが前記会員登録フォームに入力した情報も含めて前記会員登録フォームに入力された情報を会員企業サーバーに送信するものである、請求項２または３に記載の顧客獲得支援システム。
【請求項５】
前記ウェブサーバーが、前記電子メールの本文中に、前記プロモーションを展開する会員企業のウェブサイト中の会員登録フォームのウェブページを特定するＵＲＬ（Uniform Resource Locator）を埋め込むものである、請求項１に記載の顧客獲得支援システム。
【請求項６】
前記ソーシャルログインが複数のソーシャルメディアに対応している、請求項１ないし５のいずれかに記載の顧客獲得支援システム。